(57)【要約】【課題】フィルタ取付用の機構を有しないデジタルカメラに容易にフィルタをセットできるようにし、デジタルカメラでの撮影表現を豊かなものとする。【解決手段】デジタルカメラのレンズ部に取り付けるフィルタ装置１を、フィルタ板２を配置した環状支持枠６に磁着部材７を設けたフィルタ体３と、磁着部材７に着脱可能に磁着する金属製環状体４と、金属製環状体４のフィルタ体取付面側とは反対側の面に位置する貼着手段５とからなるものとした。【選択図】    図２
0003104723.tif 000002
【実用新案登録請求の範囲】
【請求項１】
デジタルカメラのレンズ部に取り付けるフィルタ装置であって、フィルタ板を配置した環状支持枠に磁着部材を設けたフィルタ体と、前記フィルタ体の磁着部材に着脱可能に磁着する金属製環状体と、前記金属製環状体のフィルタ体取付面側とは反対側の面に位置する貼着手段とからなることを特徴とするデジタルカメラ用フィルタ装置。
【請求項２】
上記フィルタ体の環状支持枠は、フィルタ板を嵌め入れた円枠を、上記磁着体を設けた環状支持枠本体に着脱可能にねじ入れてなるものである請求項１に記載のデジタルカメラ用フィルタ装置。
【考案の詳細な説明】
【技術分野】
【０００１】
本考案はデジタルカメラ用のフィルタ装置に関するものである。
【背景技術】
【０００２】
近年のコンパクトタイプのデジタルカメラは携帯が容易で取り扱いが簡単であることから手軽に利用されるようになっている。このようにコンパクトタイプのデジタルカメラが手軽に利用できることから何れの場所においても撮影が行えるが、一方、その撮影に際して各種の効果を付加した状態で撮影したいとの要望もある。
【考案の開示】
【考案が解決しようとする課題】
【０００３】
しかしながら、写真撮影に際して各種の効果を付加するために用いられる従来のフィルタは、そのフィルタ取付のために予めカメラの鏡銅の前面に設けられているねじ部を利用して取り付けるものであることから、コンパクトタイプのデジタルカメラではフィルタを利用した撮影が行なうことができなかった。即ち、コンパクトタイプのデジタルカメラにあってはフィルタ取付による撮影が想定されておらず、レンズ部にはフィルタ取付のための部位が存在していない。そのため、コンパクトタイプのデジタルカメラを利用した場合ではフィルタ利用による効果付けの画像を得ることができないという問題がある。
そこで本考案は上記事情に鑑み、フィルタ取付用の機構を有しないデジタルカメラに容易にフィルタをセットできるようにすることを課題とし、このコンパクトタイプのデジタルカメラでの撮影表現を豊かなものとすることを目的とする。
【課題を解決するための手段】
【０００４】
本考案は上記課題を考慮してなされたもので、デジタルカメラのレンズ部に取り付けるフィルタ装置であって、フィルタ板を配置した環状支持枠に磁着部材を設けたフィルタ体と、前記フィルタ体の磁着部材に着脱可能に磁着する金属製環状体と、前記金属製環状体のフィルタ体取付面側とは反対側の面に位置する貼着手段とからなることを特徴とするデジタルカメラ用フィルタ装置を提供して、上記課題を解消するものである。
そして、本考案において、上記フィルタ体の環状支持枠は、フィルタ板を嵌め入れた円枠を、上記磁着体を設けた環状支持枠本体に着脱可能にねじ入れてなるものとすることが可能である。
【考案の効果】
【０００５】
本考案によれば貼着手段を備えているので、デジタルカメラのレンズ部にフィルタ取付用のねじ構造などが設けられていなくても、本フィルタ装置を手軽に取り付けることができるようになる。そして、フィルタ体を金属製環状体から分離できるため、金属製環状体をコンパクトカメラのレンズ部に残したままとし、撮影効果が異なるフィルタ板をフィルタ体をその金属製環状体に取り付けることができ、フィルタ体の交換が簡単なものとなる。
また、本考案において、上記フィルタ体の環状支持枠が、フィルタ板を嵌め入れた円枠を、磁着体を設けた環状支持枠本体に着脱可能にねじ入れてなるものとすれば、円枠にフィルタ板を嵌め入れた従来のフィルタを利用することができ、本フィルタ装置用として新たなフィルタ板を用意する必要がなくなるなど、実用性に優れた効果を奏するものである。
【考案を実施するための最良の形態】
【０００６】
つぎに本考案を図１から図５に示す実施の形態に基づいて詳細に説明する。
図中１はデジタルカメラＡの鏡胴形式としたレンズ部Ｂに取付けられたフィルタ装置で、該フィルタ装置１は、ガラス板などの透明板に偏光膜などの効果膜材を積層してなるフィルタ板２を配したフィルタ体３と、磁石が磁着する金属からなり、前記レンズ部Ｂにおけるレンズ周囲の形状に対応した環状の金属製環状体４と、前記金属製環状体４をレンズ部Ｂに固定するための貼着手段５とから構成されているものである。
図２に示されているようにフィルタ体３は、フィルタ板２を配置した環状支持枠６に、上記金属製環状体４の形状に対応して環状とした磁着部材７を設けたものである。前記磁着部材７自体は硬質の磁石を環状にしたり、磁着性物質を含む材料を環状に形成したものであり、この磁着部材７が環状支持枠６のレンズ部側に取付固定されている。また、この磁着部材７を取付固定した環状支持枠６は二部材がねじ付けによって連結してなるもので、前記磁着部材７が取付固定されている環状支持枠本体８と円枠９とからなり、フィルタ板２を嵌め入れた前記円枠９のねじ部１０を環状支持枠本体８の前記磁着部材７が位置する
側とは反対側のねじ部１１にねじ入れることで連結される。
上記フィルタ板２と、ねじ部１０を有して前記フィルタ板２が嵌め入れられる円枠９との組み合わせは、スチールカメラなどの鏡胴に取り付けるものとして通常に流通しているフィルタ製品の構成と同じである。よって、通常のフィルタ製品を環状支持枠本体８にねじ付けるようにすることも可能である。
【０００７】
フィルタ装置１は上述したようにフィルタ体３と金属製環状体４と貼着手段５とからなるものであり、フィルタ体３が磁着部材７を有していることから、前記フィルタ体３と金属製環状体４とは磁着力によって着脱自在に連結される。そして前記金属製環状体４のフィルタ体取付面側とは反対側の面に前記貼着手段５が位置している。この構造のため、本フィルタ装置１にあっては前記金属製環状体４を貼着手段５を介してデジタルカメラＡのレンズ部Ｂに貼り付ければ、本フィルタ装置１が前記カメラ部Ｂに取り付けられるようになり、必要に応じてフィルタ体３を取り外し金属製環状体４をレンズ部Ｂに位置させた状態のままとすることができる。さらに、図１に示すように円枠９とフィルタ板２とを一体とした状態で環状支持枠本体８から取り外し、別個のフィルタ板と円枠との組（円枠にフィルタ板が嵌め入れられた通常のフィルタ製品）を前記環状支持枠本体８に取り付けるようにすることもできる。
【０００８】
上記実施の形態ではフィルタ体３の環状支持枠６が、フィルタ板２が嵌め入れられた円枠９と環状支持枠本体８とから構成されたものであるが、本考案はこの例に限定されるものではない。他の例が図４と図５とに示されており、この実施の形態においてはフィルタ体３の環状支持枠６を、上記実施の形態の二部材とすることなく一部材としており、この環状支持枠６にフィルタ板２を嵌め入れるとともに、環状支持枠６のレンズ部側に磁着部材７を取付固定することによって、フィルタ体３が構成されている。
この例においても、フィルタ体３の磁着部材７に金属製環状体４が磁着力により着脱可能に連結され、さらに前記金属製環状体４のフィルタ体取付面側とは反対側の面に貼着手段５が位置し、この貼着手段５を介して本フィルタ装置１がデジタルカメラＡのレンズ部Ｂに取り付けることができるものである。そして、レンズ部Ｂに金属製環状体４を残してフィルタ体３を取り外すことができ、効果の異なるフィルタ板が嵌め入れられているフィルタ体を前記金属製環状体４に磁着させて、本フィルタ装置１の効果を変化させることが容易に行えるものである。
【図面の簡単な説明】
【０００９】
【図１】本考案に係るフィルタ装置の一例を示す説明図である。
【図２】一例を分解した状態で示す説明図である。
【図３】一例を断面で示す説明図である。
【図４】他の例を分解した状態で示す説明図である。
【図５】他の例を断面で示す説明図である。
【符号の説明】
【００１０】
１…フィルタ装置
２…フィルタ板
３…フィルタ体
４…金属製環状体
５…貼着手段
６…環状支持枠
７…磁着部材
８…環状支持枠本体
９…円枠
Ａ…デジタルカメラ
Ｂ…レンズ部
【図１】
0003104723.tif 000003
【図２】
0003104723.tif 000004
【図３】
0003104723.tif 000005
【図４】
0003104723.tif 000006
【図５】
0003104723.tif 000007